(57)【要約】【課題】被検査成形品の外周部に生じた微小なバリを正確に検出して成形品の良否を判定できるとともに、被検査成形品に対する汎用性が高いバリ検出方法を提供する。【解決手段】成形品のバリ検出方法は、被検査成形品２のバリ２１ａを有するＶ形溝の山部２１を、山部２１を照らす平行光透過照明器１に対向して山部２１の接線方向に配置されたカメラ３によって被検査成形品２を回転させながら複数箇所において連続的に撮影し、撮影した複数の画像に処理を施してバリ２１ａを検出するものである。この処理は、連続的に撮影した複数の画像の中から、二つの画像を選択して比較し、この二つの画像を重ねたときの明るさが異なる部分の大きさを用いてバリ２１ａの有無を判定する。【選択図】図２
2009092474.tif 000002
【特許請求の範囲】
【請求項１】
被検査成形品（２）のバリ（２１ａ）を有する外周部（２１）を照明装置（１）で照らし、前記照明装置（１）に対して前記被検査成形品（２）を間に置いて向かい合うように前記外周部（２１）の接線方向に配置された撮影カメラ（３）によって、前記被検査成形品（２）を回転させながら前記外周部（２１）を連続的に複数箇所撮影し、前記撮影した複数の画像に処理を施して前記バリ（２１ａ）を検出する成形品のバリ検出方法であって、
前記処理は、前記連続的に撮影した複数の画像の中から、二つの画像を選択し、前記二つの画像を重ねて比較したときの明るさが異なる部分の大きさを用いて前記バリ（２１ａ）の有無を判定することを特徴とする成形品のバリ検出方法。
【請求項２】
前記連続的に撮影した複数の画像の中から比較される画像の組み合わせは、検出したい高さを有するバリ（２１ａ）が撮影される直前の画像から検出したいバリ（２１ａ）の断面形状が撮影される画像までの間に撮影された画像数と同じ画像数を間に挟んだ前後の画像であることを特徴とする請求項１に記載の成形品のバリ検出方法。
【請求項３】
前記撮影カメラ（３）はテレセントリック光学系のレンズを備えていることを特徴とする請求項１または２に記載の成形品のバリ検出方法。
【請求項４】
前記照明装置（１）は平行光透過照明を供給することを特徴とする請求項１から３のいずれか一項に記載の成形品のバリ検出方法。
【請求項５】
前記被検査成形品（２）は、前記外周部（２１）にＶ形溝が形成されたクラッチのプーリであることを特徴とする請求項３または４に記載の成形品のバリ検出方法。
【発明の詳細な説明】
【技術分野】
【０００１】
本発明は、被検査成形品の外周部に生じたバリを検出する検出方法に関するものである。
【背景技術】
【０００２】
従来、被検査成形品の外周部に生じたバリを検査する方法として、例えば特許文献１に記載の方法が知られている。特許文献１に記載の方法は、被検査成形品であるＯリングをその周面方向に回動させ、所定回動角度ごとにＯリングの全外周を撮影カメラにより撮影し、撮影した各画像を画像処理して外バリの長さを測定するものである。さらに、この画像処理では、撮影カメラのエリアセンサにより画像のＹ方向にスキャンを行い成形品自体の形状を黒点の分布として捉え、次にＸ方向の縦スキャンを行いバリの頂点から根元までを黒点の分布として捉える。このように検出した成形品自体の形状とバリの形状とを測定して、予め用意した良否基準よりもバリの長さが長いときは不良品と判定し、短いときは良品と判定する。
【０００３】
また、他に、成形品の外周面に形成されたバリを検出する方法として図６に示すものが従来からよく知られている。このバリ検出方法は、被検査成形品にゲージを接触させた状態で被検査成形品を動かし、このときに検出されるゲージの変位量を用いて被検査製品の外周部に生じているバリを検出する方法である。
【０００４】
図６に示すように、この検出方法では、まず、被検査成形品の一例であるプーリ１００を回転可能に設置し、プーリ１００の外周部の形状に合わせて製作したゲージ１０１をプーリ１００の外周部のＶ形溝に密着するように噛み合わせて設置するとともに、ゲージ１０１の径方向の変位量を測定できる変位計１０２を用意する。この状態でプーリ１００を回転させると、ゲージ１０１はプーリ１００のバリが形成されている部位に噛み合った時に径方向にずれるように変位する。この変位によるずれ量が変位計１０２によって検出され、このずれ量が所定量よりも大きいと、被検査成形品を不良品と判定し、逆に小さいと良品と判定することができる。
【０００５】
なお、出願人は、図６を用いて説明した上記成形品のバリ検出方法を開示した先行技術文献の所在を知らない。
【特許文献１】特開平１１−２０１７３９号公報
【発明の開示】
【発明が解決しようとする課題】
【０００６】
しかしながら、特許文献１に示す方法は、所定角度ごとに成形品の外周部を撮影するため、外周部の周方向に比較的広い範囲で形成されているバリの検出には適しているが、微小なバリについては正確に撮影することができない場合がある。
【０００７】
また、図６を用いて説明した上記方法では、実際にはバリの発生箇所やバリの形状によって、あるいは回転することによる被検査成形品の振れ等の発生によって、変位計の計測値がばらつくため、そのバリが良品の規格値内にあるか否かの判定が正確でないという問題があった。また、被検査成形品にゲージを接触させてバリを検出する方法のため、被検査成形品に傷等がついてしまう、また被検査成形品に適合するゲージを成形品ごとに準備する必要がある、等の問題があった。
【０００８】
本発明は上記問題点に鑑みてなされたものであり、その目的は、被検査成形品の外周部に生じた微小なバリを正確に検出して成形品の良否を判定できるとともに、被検査成形品に対する汎用性が高いバリ検出方法を提供することにある。
【課題を解決するための手段】
【０００９】
上記目的を達成するために以下に記載の技術的手段を採用する。第１の発明は、被検査成形品（２）のバリ（２１ａ）を有する外周部（２１）を照明装置（１）で照らし、照明装置（１）に対して被検査成形品（２）を間に置いて向かい合うように外周部（２１）の接線方向に配置された撮影カメラ（３）によって、被検査成形品（２）を回転させながらその外周部（２１）を連続的に複数箇所撮影し、撮影した複数の画像に処理を施してバリ（２１ａ）を検出する成形品のバリ検出方法の発明であって、
上記処理は、連続的に撮影した複数の画像の中から、二つの画像を選択して比較し、この二つの画像を重ねたときの明るさが異なる部分の大きさを用いてバリ（２１ａ）の有無を判定することを特徴としている。
【００１０】
この発明によれば、被検査成形品を回転させながら連続的に撮影した複数の画像の中から選択された二つの画像を比較することによりバリの有無を検出するので、検出したいバリが写っている画像とバリが全く写っていない比較的近隣の正常状態の画像とを比較することが可能であり、予め用意したバリのない正常画像と個々のサンプリングされた画像とを比較する場合と違って、回転による被検査成形品の振れの影響をキャンセルした正確なバリ検出を実行できる。したがって、被検査成形品の外周部に生じた微小なバリを正確に検出して成形品の良否を判定でき、さらに被検査成形品の大きさや形状にかかわらず汎用性、柔軟性の高いバリ検出方法を提供することができる。
【００１１】
また、上記連続的に撮影した複数の画像の中から比較される画像の組み合わせは、検出したい高さを有するバリ（２１ａ）が撮影される直前の画像から検出したいバリ（２１ａ）の断面形状が撮影される画像までの間に撮影された画像数と同じ画像数を間に挟んだ前後の画像とすることが好ましい。
【００１２】
この発明によれば、被検査成形品の回転による振れ幅が全周において比較的小さくゆるやかに変化する場合であっても、被検査成形品の外周部におけるバリのない正常な部分とバリが残っている部分との比較をより確実に実行することができ、バリ残り部分の検出精度をさらに向上することができる。
【００１３】
また、撮影カメラ（３）はテレセントリック光学系のレンズを備えていることが好ましい。この発明によれば、画像の中心部および周辺部において視差による画像のゆがみを抑制できるので、精度の高い上記画像処理を実施することができる。さらに被検査成形品（２）が外周部（２１）にＶ形溝が形成されたクラッチのプーリである場合には、上記画像のゆがみ抑制効果がＶ形溝のような複雑な断面形状において顕著に発揮され、精度の高い上記画像処理を実施することができる。
【００１４】
また、照明装置（１）は外周部（２１）に対して平行光透過照明を供給することが好ましい。この発明によれば、外周部を構成する壁面の裏側に回りこむ光の減少が図られ、複雑な断面形状の外周部であっても正確に撮像することができる。さらに被検査成形品（２）が外周部（２１）にＶ形溝が形成されたクラッチのプーリである場合には、Ｖ形溝壁面に回りこむ光の減少が図られ、被検査成形品の外周部断面形状の輪郭が明確となり、精度の高い上記画像処理を実施することができる。
【００１５】
なお、上記各手段の括弧内の符号は、後述する実施形態の具体的手段との対応関係を示す一例である。
【発明を実施するための最良の形態】
【００１６】
本発明の一実施例である第１実施形態について図１〜図５を用いて説明する。本実施形態は、成形品の外周部に発生するバリによる外周部断面形状の周方向変化に着目し、被検査成形品を所定角度ずつ回転させて外周部の断面形状を連続的に撮影し、撮影された画像に特有の画像処理を施すことにより、精度の高いバリ検出を実現するものである。
【００１７】
図１は本実施形態に係るバリ検出装置の概略構成を示した斜視図である。図１に示すように、バリ検出装置は、製品回転機構５によって回転可能に設置された被検査成形品２と、被検査成形品２の外周部に対して照明を供給する照明装置と、被検査成形品２を間に置いて照明装置に対向して外周部の接線方向に配置された撮影用のカメラ３と、カメラ３により撮影された画像に処理を施す画像処理装置４とを備えている。
【００１８】
被検査成形品２は、成形された外周部にバリが発生し得る成形品であり、回転されることにより、外周部の接線方向から撮影するカメラ３に一定の形状が映し出されるような回転体である。この回転体は、回転される軸を備える球体状物体、円筒状物体等である。被検査成形品２はその外周部が成形により形成されていればよく、必ずしもその全体が成形により形成されている必要はない。被検査成形品２は、バリが発生する成形品、例えば樹脂材、ゴム材の製品であれば検査することができる。
【００１９】
本実施形態では被検査成形品２の一例として外周部にＶ形溝が形成されているプーリを用いて以下に説明する。プーリは、電磁クラッチに備えられる部品であり、Ｖベルトと噛み合うって回転することで、Ｖベルトを介してエンジン駆動力をコンプレッサに伝達する。この電磁クラッチは、特にカーエアコンに用いられる場合には燃費向上の観点から軽量化が求められている。このため、プーリは軽量化、強度、耐食性等の面から熱硬化性樹脂を材料として成形される。
【００２０】
プーリの成形方法としては圧縮成形が用いられ、また安定的にＶ形溝が成形できるように必要樹脂重量より２〜３％多めで計量して成形を行っている。したがって、過重量分の樹脂は金型の合わせ面にバリとして押し出され、成形上、合わせ面が設けられるＶ形溝の外周面にバリが現れることになる。合わせ型は通常プーリをその半径方向両側から挟むように合わされるため、合わせ面に発生するバリはＶ形溝の山部２１（外周部）に２箇所形成され、周方向に直交するＶ形溝の幅全域に微小な凸条部として形成される。
【００２１】
このように発生したバリは、Ｖ形溝と噛み合うＶベルトに損傷を与える可能性があるので、製品設計上外周面からの高さを０．１ｍｍ以下に抑えることが求められ、これを超えるバリについてはワイヤーカットによるバリ取りが行われている。
【００２２】
このバリの検出には、検査作業員による全数の目視検査を実行することがあるが、バリは平滑面でない複雑なＶ形溝の表面に発生するので、検査作業員への負担が大きく非効率であるため、非接触方式で正確に検出できる本実施形態の検出方法が求められている。
【００２３】
カメラ３は、光電変換と走査の機能を備えた種々のタイプを使用することができる。カメラ３はレンズと固体映像装置を備えた高解像度カメラであり、固体映像装置にはエリアセンサが用いられている。
【００２４】
成形品のバリが良品であるか否かの判定にはバリ高さを正確に計測する必要があり、そのためにはＶ形溝の断面（山部２１の断面）シルエットの正確な撮像が不可欠である。レンズには、画像処理分野で一般的に使用されているＣＣＴＶレンズを用いることができるが、山部２１（外周部）の断面シルエットの正確な撮像を得るため、より好ましくはテレセントリック光学系のレンズを使用する。このテレセントリック光学系のレンズを使用することにより、例えばプーリのＶ形溝等の幾何学的な複雑な形状を撮像する場合には、画像の中心部から周辺部に向かうにつれてＶ形溝壁面の写りこみが大きくなって発生する画像上のゆがみを抑制することができる。
【００２５】
これは、テレセントリック光学系のレンズにおいてはレンズの結像原理から画角がほぼゼロにできるので、画像の中心部とその周辺部ともに視差の影響がなくなり、画像上のＶ形溝壁面のゆがみがなくなるからである。またこの光学系のレンズは、画像周辺のゆがみの原因となる歪曲収差が小さく、撮像対象物との距離が変化しても像の大きさが変化しないという利点がある。
【００２６】
照明装置は、透過照明に一般的に使用される拡散光タイプの照明装置を用いることができるが、より好ましくは透過光の平行度を高めるために、拡散光等の透過照明の前にスリットを有する板を設けたり、平行光の透過照明を供給する平行光透過照明器１を用いたりするとよい。このように透過光の平行度を高めることにより、例えばプーリの幾何学的な複雑な形状のＶ形溝壁面への光の回りこみを抑制して、画像上の形状の鮮明度を向上することができる。
【００２７】
特に平行光透過照明器１は、被検査成形品２の外周部に平行度の高い透過光を供給する装置であり、さらにＶ形溝断面シルエットのエッジ付近の明度のシャープさを増して画像として取り込まれるＶ形溝断面形状の輪郭を明確にできる。以上のことから、本実施形態においてはテレセントリック光学系のレンズおよび平行光透過照明を使用することが好ましい。
【００２８】
画像処理装置４は、通常のコンピュータであり、カメラ３による画像データ信号に対して所定の処理を行い、バリ高さの良否を判定し、成形品が良品か否かを判定する。本実施形態においては、連続的に撮影した複数の画像の中から二つの画像を選択し、この選択した二つの画像を重ねたときの明るさが異なる部分の大きさを用いてバリ残りの有無を判定する。画像処理装置４は、内部に周知のＣＰＵ、ＲＯＭ、ＲＡＭ、Ｉ／Ｏ等が備えられている。ＲＯＭには画像処理装置４が実行するプログラムが書き込まれており、このプログラムにしたがってＣＰＵ等が所定の演算処理を実行する。画像処理装置４は、機能部として回転角度演算部、画像数算出部、画像比較部および判定部を備えている。
【００２９】
回転角度演算部は、検出したい高さを有するバリ（ここでは０．１ｍｍ以上のバリ）が撮影される直前の画像からこの検出したいバリの断面形状が撮影される画像までの間に被検査成形品２が回転した回転角度を演算する。画像数算出部は、回転角度演算部によって演算された回転角度の間に撮影される画像数を算出する。
【００３０】
画像比較部は、画像数算出部によって算出された画像数と同じ画像数を間に挟んだ前後の画像を、連続的に撮影された全ての画像の中から選択し、これら全ての組み合わせの画像を重ね合わせて比較し、明るさが異なる部分を明確にするように処理を実行する。例えば、画像数算出部が算出した画像数が５である場合は、画像比較部は撮影された画像の１枚目から順に、１枚目と７枚目の比較、２枚目と８枚目の比較、３枚目と９枚目の比較、というように比較可能な全ての組み合わせを算出しこれら全てについて重ね合わせの比較を行う。
【００３１】
判定部は、画像比較部が全ての組み合わせについて行った重ね合わせの比較によって明確にされた明るさの異なる部分の大きさを用いて、バリ残りの有無の判定を実行する。各重ね合わされた画像について、明るさの異なる部分の大きさが所定の判定規格値以上である場合には不良品レベルのバリ残り有りと判定し、所定の判定規格値より小さい場合にはバリ残りなしと判定する。そして、この判定結果に基づいてバリ残りが検出された不良品と検出されなかった良品はシューター等により別々に仕分けられ、不良品についてはバリ取り工程が実施される。
【００３２】
次に、上記構成のバリ検出装置によるバリ検出方法について説明する。各装置が図１に示すように設置された状態からバリ検出の各工程を開始する。図２は、バリ検出装置における平行光透過照明器１、被検査成形品２およびカメラ３の位置関係を模式的に示した平面図である。
【００３３】
まず図２に示すように、製品回動機構５を作動させて被検査成形品２を所定回転角度だけ回転させ、カメラ３で最初の撮影位置における被検査成形品２のＶ形溝の山部２１（外周部）を撮影する。そして、カメラ３からの画像データ信号を画像処理装置４に取り込み、この信号に所定の処理を行うことにより測定された山部２１の断面シルエット画像を記憶する。さらに、被検査成形品２を所定回転角度分回転させ、次の撮影位置の山部２１を撮影し、前回と同様の処理を行い、画像処理装置４に山部２１の断面シルエット画像を記憶する。
【００３４】
以上の撮影、処理、記憶は所定回転角度ずつ被検査成形品２を回転させながら連続的にその全周に亘って実施される。これらの画像取り込みが完了すると、次にバリ残り有無の判定処理を実施する。
【００３５】
金型合わせ面に発生するバリ残りは、例えば本実施形態のプーリにおいては図３に示すように高さが０．１ｍｍ以上の微小なものである。図３はプーリにおけるＶ形溝の山部２１およびバリ２１ａの断面形状を示した断面図である。
【００３６】
連続的に撮影された複数の画像は、例えば図４の（ａ）〜（ｅ）に示す画像群である。これらの画像に示すように、被検査成形品２を所定回転角度ずつ回転させて撮影すると、撮像画像は順に、（ａ）バリが見えない状態、（ｂ）次第にバリが写り始める状態、（ｃ）バリの断面が写った状態、（ｄ）次第にバリが小さくなって写る状態、（ｅ）バリが見えない状態、と変化していく。
【００３７】
これらの画像の中からバリが発生している部分のみを取り出すためには、予め登録しておいた正常状態のＶ形溝の形状（登録マスター形状）と各撮像画像とを比較してその差分量をバリ残りとして検出する方法がある。しかしながら、この方法では被検査成形品２を回転させたときに起こり得るわずかな検査対象物の振れの影響を受けるため、微小なバリ残り部分を正確に検出することができない。
【００３８】
出願人は、被検査成形品２の一例であるプーリの回転による振れが全周に亘ってゆるやかに変化し、バリの形状も外周部においてゆるやかに変化することを確認している。このため、短い画像間、つまり少ない画像間隔で画像比較を行うとバリが写っている画像同士の比較になってしまい、正確なバリ残り部分の検出が実施できない。よって、実際には、比較する画像同士の間（比較画像間の回転角度は６．１５°）には３１個程度の画像が存在するように所定回転角度（本実施形態では０．２°）を設定している。
【００３９】
ところで図４および図５では、実際には比較画像間に数十個の画像が存在するところを、説明の簡単化のため、１個の画像が存在する場合を例に挙げている。図４（ａ）〜（ｅ）は、第１実施形態に係るバリ検出方法において所定回転角度ごとにカメラ３により撮影された被検査成形品の画像群を示した一例である。
【００４０】
以下に連続的に撮影された複数の画像を用いたバリ残り有無の判定処理について説明する。まず、画像処理装置４の回転角度演算部は、図３に示すバリ高さｌａ（ｍｍ）とＶ形溝の溝角度２０°とを用いた次式（１）により、バリの径方向の長さｌｂ（ｍｍ）を算出する。
【００４１】
ｌｂ＝ｌａ／ｓｉｎ２０°  …（式１）
ここで、バリ取り処理を行うべきバリ高さは０．１ｍｍ以上であるからｌａ＝０．１とすると、ｌｂ＝０．１／ｓｉｎ２０°＝０．２９（ｍｍ）が算出される。
【００４２】
さらに回転角度演算部は、０．１ｍｍ以上の高さを有するバリが撮影される直前の画像からこの検出したいバリの断面形状が撮影される画像までの間に被検査成形品２が回転した回転角度θｂを演算する。図２は、バリ２１ａが撮影される直前の状態を示している。この状態からさらに被検査成形品２が回転角度θｂ回転して、バリ２１ａがＰＢ点に位置する状態になったときに検出したいバリ２１ａの断面形状が撮影されることになる。
【００４３】
図２に示すＰＡ点およびＰＢ点の関係と図３とから次式（２）が成立する。
【００４４】
ｃｏｓθｂ＝ｒｗｋ／（ｒｗｋ＋ｌｂ）  …（式２）
なお、ｒｗｋは被検査成形品２の半径である。
【００４５】
したがって、回転角度θｂは、θｂ＝ｃｏｓ−１｛ｒｗｋ／（ｒｗｋ＋ｌｂ）｝を用いて演算される。
【００４６】
ここで、例えばｒｗｋ＝５０（ｍｍ）とすると、
θｂ＝ｃｏｓ−１｛５０／（５０＋０．２９）｝により、回転角度θｂは６．１５°と演算される。
【００４７】
そして、この演算により、被検査成形品２の振れの影響による画像変化量ＣＶは、次式（３）によって求めることができる。
【００４８】
ＣＶ＝振れ規格値Ｍａｘ×θｂ／３６０（°）  …（式３）
＝０．２５（ｍｍ）×６．１５（°）／３６０（°）＝０．００４（ｍｍ）
この０．００４ｍｍは検出精度０．０２ｍｍの１／５であるので、被検査成形品２の振れの影響を十分にキャンセルすることができる。
【００４９】
次に画像数算出部は、被検査成形品２が回転角度θｂ分回転する間に撮影される画像数を算出する。この画像数は、上述のように便宜上、図４で説明すると１個である。図４の各画像を図２の各撮影位置に当てはめて説明すると、（ａ）はバリ２１ａがＰＡ点の位置にあるときの画像であり、（ｂ）はバリ２１ａがＰＡ点とＰＢ点の間にあるときの画像であり、（ｃ）はバリ２１ａがＰＢ点の位置にあるとき画像であり、（ｄ）はバリ２１ａがＰＢ点とＰＣ点の間にあるときの画像であり、（ｅ）はバリ２１ａがＰＣ点の位置にあるときの画像である。
【００５０】
次に画像比較部は、画像数算出部によって算出された１個の画像数と同じ画像数を間に挟んだ前後の画像を、撮影された全ての画像の中から選択して重ね合わせて比較し、明るさが異なる部分を明確にする。図４では、最初に撮影された画像（ａ）から順に、画像（ａ）と画像（ｃ）の比較、画像（ｂ）と画像（ｄ）の比較、画像（ｃ）と画像（ｅ）の比較をそれぞれ行う。各組み合わせについて、比較対象画像の重ね合わせを実施し、明るさが異なる部分を明示する。図５は画像（ａ）と画像（ｃ）とを重ね合わせて比較したものであり、明るさが異なる部分を斜線部で明示している。
【００５１】
判定部は、画像比較部が重ね合わせの比較を行って明確にした明るさの異なる部分の大きさ、例えば図５に示す斜線部が所定の判定規格値以上（本実施形態では０．１ｍｍ以上）である場合には不良品レベルのバリ残り有りと判定し、逆に所定の判定規格値より小さい場合にはバリ残りなしと判定する。判定部は、この判定を全ての比較対象について実行する。この判定結果に基づいて検出された不良品は、後でバリ取り工程が実施され、バリ残りのない良品となる。
【００５２】
本実施形態に係る成形品のバリ検出方法は、被検査成形品２のバリ２１ａを有するＶ形溝の山部２１を、山部２１を照らす平行光透過照明器１に対向して山部２１の接線方向に配置されたカメラ３によって被検査成形品２を回転させながら複数箇所において連続的に撮影し、撮影した複数の画像に処理を施してバリ２１ａを検出するものである。上記処理は、連続的に撮影した複数の画像の中から、二つの画像を選択して比較し、この二つの画像を重ねたときの明るさが異なる部分の大きさを用いてバリ２１ａの有無を判定する。
【００５３】
この方法によれば、検出したいバリ２１ａが写っている画像とバリが全く写っていない比較的近隣の正常状態の画像とを比較することが可能となる。したがって、撮影された画像同士の相対的な比較により、被検査成形品の回転による振れの影響をキャンセルでき、バリ残り部分の正確な抽出を実施できる。また、非接触の検出方法であり、光学系の撮影機器により撮影するため、被検査成形品の形状や大きさにかかわらず、汎用性の高い検査アルゴリズムを提供できる。
【００５４】
また、画像処理装置４は、検出したい高さを有するバリ２１ａが撮影される直前の画像から検出したいバリ２１ａの断面形状が撮影される画像までの間に被検査成形品２が回転した回転角度θｂを演算し、この回転角度θｂの間に撮影される画像数と同じ画像数を間に挟んだ前後の画像を比較する。
【００５５】
この方法によれば、被検査成形品２の回転による振れ幅が全周において比較的小さくゆるやかに変化する場合であっても、外周部２１におけるバリのない正常な部分とバリ２１ａが残っている部分との比較をより確実に実行することができ、バリ残り検出精度の向上が図れる。
【００５６】
（その他の実施形態）
以上、本発明の好ましい実施形態について説明したが、本発明は上述した実施形態に何ら制限されることなく、本発明の主旨を逸脱しない範囲において種々変形して実施することが可能である。
【００５７】
例えば、上記実施形態では、被検査成形品の外周部を照らす照明装置として平行光透過照明器１を用いているが、画像処理される上記外周部の断面形状が上記比較処理の可能なレベルの鮮明度を有するものであれば、この照明器に限定するものではない。
【図面の簡単な説明】
【００５８】
【図１】本発明の第１実施形態に係るバリ検出装置の概略構成を示した斜視図である。
【図２】第１実施形態のバリ検出装置における平行光透過照明器、被検査成形品およびカメラの位置関係を模式的に示した平面図である。
【図３】被検査成形品の一例であるプーリにおけるＶ形溝の山部およびバリの断面形状を示した断面図である。
【図４】（ａ）〜（ｅ）は、第１実施形態に係るバリ検出方法において所定回転角度ごとにカメラにより撮影された被検査成形品の画像群の一例を示している。
【図５】図４において（ａ）の画像と（ｃ）の画像とを比較し、明るさが異なる部分を明示した図である。
【図６】従来のバリ検出装置の一例を示した斜視図である
【符号の説明】
【００５９】
１…平行光透過照明器（照明装置）
２…被検査成形品
３…カメラ（撮影カメラ）
２１…山部（外周部）
２１ａ…バリ
【図１】
2009092474.tif 000003
【図２】
2009092474.tif 000004
【図３】
2009092474.tif 000005
【図４】
2009092474.tif 000006
【図５】
2009092474.tif 000007
【図６】
2009092474.tif 000008